(57)【要約】【課題】リール本体を保護することができるとともに、脚部や竿取付部が損傷してもリール全体を交換しないで済む経済的な魚釣用スピニングリールの提供を目的としている。【解決手段】本発明は、駆動系が組み込まれたリール本体１ａと、リール本体１ａから延出する脚部１ｂと、脚部１ｂの端部に形成され且つ釣竿に取り付けられる竿取付部１ｃとを有する魚釣用スピニングリール１において、リール本体１ａの後側部を覆ってこれを保護するガード部３２を備え、ガード部３２は、脚部１ｂおよび竿取付部１ｃと一体を成し、脚部１ｂおよび竿取付部１ｃと共に、リール本体１ａに対して着脱自在に取付けられることを特徴とする。【選択図】　　図２
2004121048.tif 000002
【特許請求の範囲】
【請求項１】
駆動系が組み込まれたリール本体と、リール本体から延出する脚部と、脚部の端部に形成され且つ釣竿に取り付けられる竿取付部とを有する魚釣用スピニングリールにおいて、
前記リール本体の後側部を覆ってこれを保護するガード部を備え、
前記ガード部は、前記脚部および前記竿取付部と一体を成し、前記脚部および前記竿取付部と共に、前記リール本体に対して着脱自在に取付けられることを特徴とする魚釣用スピニングリール。
【請求項２】
前記脚部、前記竿取付部、前記ガード部のうちの少なくとも１つは、前記リール本体よりも強度が高い材料によって形成され、あるいは、前記リール本体よりも硬度を高める高硬度処理が表面に施されていることを特徴とする請求項１に記載の魚釣用スピニングリール。
【発明の詳細な説明】
【０００１】
【発明の属する技術分野】
本発明は、釣竿に取り付けられる脚部をリール本体に有する魚釣用スピニングリールの改良に関する。
【０００２】
【従来の技術】
一般に、魚釣用スピニングリールは、駆動系が組み込まれたリール本体と、リール本体から延出する脚部と、脚部の端部に形成され且つ釣竿に取り付けられる竿取付部とを有している。
【０００３】
このような魚釣用スピニングリールは、他の種類の魚釣用リールと同様、実釣時に、岩場に無造作に置かれたり、誤って地面に落下したりする場合があり、また、魚の当たりを待つ間あるいは釣り場への移動中に、釣竿に装着された状態で、船縁に取り付けられたロッドホルダ（竿尻を挿入保持する筒状竿立て）に挿入保持される場合もある。
【０００４】
したがって、魚釣用スピニングリールにあっては、岩場や地面との接触はもとより、ロッドホルダや船縁と衝突する機会も多く、リール本体、とりわけ、リール本体の後側部等に傷が付き、あるいは、破損するといった不具合が生じ易い。特に、前記脚部は、リール本体から突出する部分であり、また、前記竿取付部は、釣竿に対して繰り返し脱着される部分であるため、これら脚部や竿取付部が傷付く可能性が高い。　また、脚部のリール本体との付け根部分も、傷が付いて破損し易い。
【０００５】
また、近年、リールの軽量化のため、合成樹脂をベースとする材料によってリール本体および脚部が形成される傾向にあり、過酷な使用や不注意等でリール本体や脚部が更に損傷し易くなっている。そのため、リール本体の後側部にガード部材を装着して、リール本体を保護する試みも成されている（例えば、特許文献１参照）。
【０００６】
【特許文献１】
実開昭５４−７６１９６号公報
【０００７】
【発明が解決しようとする課題】
しかしながら、前記ガード部材は、リール本体の側部、下部および後部のみを一体的に保護するものであり、リール本体から延びる前記脚部や前記竿取付部、脚部のリール本体との付け根部分を保護するものではない。したがって、前記脚部や前記竿取付部等がロッドホルダや船縁あるいは釣竿のリール取付部と干渉して傷付くことを回避することはできない。
【０００８】
また、前記ガード部材によってリール本体が保護されていたとしても、保護されていない前記脚部や前記竿取付部が破損した場合、リール本体と一体に形成されている前記脚部や前記竿取付部だけを交換することはできない。そのため、新規にリール全体を購入せざるを得ず、経済的でないという問題がある。
【０００９】
本発明は前記事情に着目してなされたものであり、その目的とするところは、リール本体を保護することができるとともに、脚部や竿取付部が損傷してもリール全体を交換しないで済む経済的な魚釣用スピニングリールを提供することにある。
【００１０】
【課題を解決するための手段】
前記課題を解決するために、本発明は、駆動系が組み込まれたリール本体と、リール本体から延出する脚部と、脚部の端部に形成され且つ釣竿に取り付けられる竿取付部とを有する魚釣用スピニングリールにおいて、前記リール本体の後側部を覆ってこれを保護するガード部を備え、前記ガード部は、前記脚部および前記竿取付部と一体を成し、前記脚部および前記竿取付部と共に、前記リール本体に対して着脱自在に取付けられることを特徴とする。
【００１１】
【発明の実施の形態】
以下、図面を参照しながら本発明の実施形態について説明する。
【００１２】
図１〜図３は本発明の第１の実施形態を示している。図１に示されるように、本実施形態の魚釣用スピニングリール１は、後述する駆動系が組み込まれたリール本体１ａと、リール本体１ａから延出する脚部１ｂと、脚部１ｂの端部に形成され且つ図示しない釣竿に取り付けられる竿取付部１ｃとを有している。リール本体１ａ内にはハンドル軸２が回転可能に支持されており、リール本体１ａから突出するハンドル軸２の端部にはハンドル３が固定されている。
【００１３】
ハンドル軸２にはドライブギア２０が取り付けられており、このドライブギア２０には、ハンドル軸２に対して直交する方向に延在し且つ軸受けを介して回転可能に支持されたピニオンギア１３が噛合している。また、このピニオンギア１３の先端部には、ベール６および釣糸案内装置を備えたロータ８が一体的に取り付けられている。
【００１４】
また、ピニオンギア１３の内部には、ハンドル軸２と直交する方向に摺動可能に支持されたスプール軸９が挿通されており、スプール軸９の先端部には釣糸が巻回されるスプール１０が着脱可能に取付けられている。また、ドライブギア２０には、オシレーティング機構が係合している。このオシレーティング機構は、ハンドル軸２がハンドルの回転操作によって回転された時、スプール軸９を軸方向に沿って往復駆動する。
【００１５】
したがって、このような構成では、ハンドル３を回転操作してハンドル軸２を回転させると、前記オシレーティング機構を介してスプール軸９に取り付けられたスプール１０が前後に往復動するとともに、前記ドライブギアおよび前記ピニオンギアを介してロータ８が回転駆動する。したがって、スプール１０には、前記釣糸案内装置を介して、釣糸が均等に巻回される。
【００１６】
図２および図３に明確に示されるように、本実施形態の魚釣用スピニングリール１は、リール本体１ａと、脚部１ｂを含む脚部付きガードユニット３０と、側部カバー５０とに分割できる。
【００１７】
脚部付きガードユニット３０は、脚部１ｂと、脚部１ｂの上端に形成された竿取付部１ｃと、脚部１ｂから下方に向かって延び且つリール本体１ａの後側部を覆ってこれを保護するガード部３２とから成る。また、ガード部３２は、リール本体１ａの背面を覆って保護する背面ガード部３２ａと、リール本体１ａの後部の側面を覆って保護する側面ガード部３２ｂと、リール本体１ａ　の下縁部を覆って保護する下面ガード部３２ｃとから成る。なお、本実施形態においては、脚部１ｂと竿取付部１ｃとガード部３２とが一体成形されているが、これらの少なくとも１つの部材が、他の部材と別体を成し、何らかの手段で他の部材と結合されて一体化されても良い。
【００１８】
また、本実施形態において、脚部付きガードユニット３０は、リール本体１ａよりも強度が高い材料（リール本体１ａと異なる材料・・・例えば、ＳＵＳ、Ｔｉ）によって形成されている。無論、リール本体１ａと同じ材料で脚部付きガードユニット３０を形成しても構わないが、その場合には、ガードユニット３０の表面に高硬度処理（リール本体１ａよりも硬度を高める処理、例えばイオンプレーティング、メッキ、ウレタン等）を施すことが望ましい。また、脚部１ｂ、竿取付部１ｃ、ガード部３２のうちの少なくとも１つが、リール本体１ａよりも強度が高い材料によって形成され、あるいは、前記高硬度処理されていても良い。したがって、高硬度処理をガード部３２のみに施しても良い。
【００１９】
また、脚部付きガードユニット３０は、リール本体１ａに対して着脱自在に取り付けられるようになっている。具体的には、脚部１ｂのリール本体１ａとの付け根部分もしくはその近傍にブラケット４０が一体形成されており、このブラケット４０は、リール本体１ａの上面に形成された凹状の嵌合溝４１内に嵌まり込むようになっている。そして、ブラケット４０に形成されたピン穴４２と、嵌合溝４１を横方向に貫くように形成されたピン穴４３とを一致させて、これらの穴４２，４３に固定ピン４４を挿入することにより、脚部付きガードユニット３０がリール本体１ａに対して固定されるようになっている。また、この時、リール本体１ａの背面に形成された管状の凸部４８がガード部３２の貫通孔４９に嵌まり込むようになっている。なお、図１に示されるよう、凸部４８内には、ロータ８の逆回転（釣糸繰り出し方向の回転）を防止する逆転防止機構の切換ロッド２７の端部が挿通され、貫通孔４９から突出する切換ロッド２７の端部には、切換レバー２９が取り付けられている。
【００２０】
また、本実施形態において、脚部付きガードユニット３０は、ブラケット４０と嵌合溝４１とにより上側でリール本体１ａに固定される他、ピン４７を介して下側でもリール本体１ａに固定される。すなわち、ガード部３２の下端部およびリール本体１ａの背面の下端部にはそれぞれ、ブラケット４０と嵌合溝４１とが嵌合した状態で互いに一致する穴４５，４６が形成されており、これらの穴４５，４６にピン４７を挿入することにより、脚部付きガードユニット３０がリール本体１ａに対して下側で取付け固定される。
【００２１】
なお、このようにして、脚部付きガードユニット３０がリール本体１ａに対して上側および下側で取付け固定された後、カバー部材５０が公知の手段によってリール本体１ａに対し着脱自在に取り付けられる。
【００２２】
以上説明したように、本実施形態の魚釣用スピニングリール１は、リール本体１ａの後側部を覆ってこれを保護するガード部３２を備え、このガード部３２は、脚部１ｂおよび竿取付部１ｃと一体を成し、脚部１ｂおよび竿取付部１ｃと共に、リール本体１ａに対して着脱自在に取付けられる脚部付きガードユニット３０を構成している。したがって、ガード部３２によって、リール本体１ａの側部、下部および後部を一体的に保護することができるとともに、過酷な使用や不注意等で脚部１ｂや竿取付部１ｃあるいはガード部３２等が損傷した場合、脚部付きガードユニット３０だけ（脚部１ｂ、竿取付部１ｃ、ガード部３２のうちの少なくとも１つが他と別体を成している場合には、その損傷した対象部分だけ）の交換で済み、リール全体を交換しなくて済むため、非常に経済的である。
【００２３】
また、本実施形態の魚釣用スピニングリール１において、脚部１ｂ、竿取付部１ｃ、ガード部３２のうちの少なくとも１つは、リール本体１ａよりも強度が高い材料によって形成され、あるいは、リール本体１ａよりも硬度を高める高硬度処理が表面に施されている。このように、傷付き易い脚部１ｂ等を高強度材で形成すれば（あるいは、高硬度処理すれば）、脚部１ｂや竿取付部１ｃ等が傷付いて破損することを回避できる。特に、本実施形態のように、リール本体１ａと脚部１ｂ等とを別体にすれば、リール本体１ａを合成樹脂で形成して軽量化を図りながら、脚部１ｂ等の破損も防止できる。また、高強度または高硬度の脚部１ｂ（または脚部付きガードユニット３０）の選択使用も可能になる。つまり、本実施形態によれば、リール本体１ａの使用時に、損傷を受け易い部分への傷発生を合理的に且つ確実に防止できる。
【００２４】
図４は本発明の第２の実施形態を示している。なお、本実施形態において、第１の実施形態と共通する構成部分については、以下、同一符号を付してその説明を省略する。
【００２５】
図示のように、本実施形態において、ガード部３２の下面ガード部３２ｃは、長く延在しており、リール本体１ａ　の下面を広い範囲にわたって保護している。また、これに伴って、側面ガード部３２ｂの下端部も下面ガード部３２ｃに沿って長く延びている。なお、それ以外の構成は、第１の実施形態と同一である。
【００２６】
このような構成によれば、リール本体１ａの下側を広く覆って保護することができるとともに、ガード部３２の強度も高めることができる。
【００２７】
図５および図６は、本発明の第３の実施形態を示している。なお、本実施形態において、第１の実施形態と共通する構成部分については、以下、同一符号を付してその説明を省略する。
【００２８】
図示のように、本実施形態では、リール本体１ａに対する脚部付きガードユニット３０の取付構造が第１の実施形態と一部異なる。すなわち、本実施形態では、脚部付きガードユニット３０のガイド部３２から矩形枠状の取付体９０が前方に向かって延びており、この取付体９０がリール本体１ａと側部カバー５０との間に挟み込まれることにより、脚部付きガードユニット３０がリール本体１ａに対して取り付けられる。具体的には、取付体９０の上部に形成されたピン穴９１と、リール本体１ａの上面のブラケット８０に形成されたピン穴８１と、側部カバー５０の上面のブラケット５２に形成されたピン穴５３とを一致させて、これらの穴５３，８１，９２に固定ピン４４を挿入することにより、脚部付きガードユニット３０がリール本体１ａに対して上側で固定される。また、取付体９０の前方に形成された一対のピン穴９５，９６をリール本体の対応するピン穴６１，６２に一致させて、これらの穴６１，６２，９５，９６に図示しない固定ピンを挿入することにより、脚部付きガードユニット３０がリール本体１ａに対して前側で固定される。なお、それ以外の構成は、第１の実施形態と同一である。したがって、このような構成においても、第１の実施形態と同様の作用効果を得ることができる。
【００２９】
【発明の効果】
以上説明したように、本発明によれば、リール本体を保護することができるとともに、脚部や竿取付部が損傷してもリール全体を交換しないで済む経済的な魚釣用スピニングリールを提供できる。
【図面の簡単な説明】
【図１】本発明の第１の実施形態に係る魚釣用スピニングリールの横断面図である。
【図２】図１の魚釣用スピニングリールを分解した状態の横断面図である。
【図３】図１の魚釣用スピニングリールを分解した状態の後部の縦断面図である。
【図４】本発明の第２の実施形態に係る魚釣用スピニングリールを分解した状態の横断面図である。
【図５】本発明の第３の実施形態に係る魚釣用スピニングリールを分解した状態の横断面図である。
【図６】図５の魚釣用スピニングリールを分解した状態の後部の縦断面図である。
【符号の説明】
１…魚釣用スピニングリール
１ａ…リール本体
１ｂ…脚部
１ｃ…竿取付部
３０…脚部付きガードユニット
３２…ガード部
【図１】
2004121048.tif 000003
【図２】
2004121048.tif 000004
【図３】
2004121048.tif 000005
【図４】
2004121048.tif 000006
【図５】
2004121048.tif 000007
【図６】
2004121048.tif 000008